(57)【要約】【課題】酸発酵槽とメタン発酵とをともに適正に行える排水処理方法及び排水処理装置を提供すること。【解決手段】有機排水を酸発酵槽１において酸発酵させ、酸発酵排水を得る酸発酵工程と、酸発酵排水をメタン発酵槽２においてメタン発酵させ、メタン発酵排水を得るメタン発酵工程と、を行う排水処理方法であって、メタン発酵排水を酸発酵槽１に返送する第一返送工程と、メタン発酵排水をメタン発酵槽２に返送する第二返送工程と、を行う。【選択図】図１
2018167177.tif 000002
【特許請求の範囲】
【請求項１】
有機排水を酸発酵槽において酸発酵させ、酸発酵排水を得る酸発酵工程と、
前記酸発酵排水をメタン発酵槽においてメタン発酵させ、メタン発酵排水を得るメタン発酵工程と、
を行う排水処理方法であって、
メタン発酵排水を前記酸発酵槽に返送する第一返送工程と、
メタン発酵排水を前記メタン発酵槽に返送する第二返送工程と、
を行う排水処理方法。
【請求項２】
前記第一返送工程は、前記酸発酵槽に供給される有機排水量と前記酸発酵槽に返送される返送水量によって前記酸発酵槽が所定の滞留時間になるように前記返送水量を制御するものである請求項１に記載の排水処理方法。
【請求項３】
前記第二返送工程は、前記メタン発酵槽における槽内の有機物濃度を所定値以下に維持するように返送水量を制御するものである請求項１または２に記載の排水処理方法。
【請求項４】
有機排水を酸発酵させる酸発酵槽と、前記酸発酵槽からの酸発酵排水をメタン発酵させるメタン発酵槽とを備えた排水処理装置であって、
前記メタン発酵槽からのメタン発酵排水を貯留する貯留槽を設け、前記貯留槽のメタン発酵排水を前記酸発酵槽に返送する第一返送路と、前記貯留槽のメタン発酵排水を前記メタン発酵槽に返送する第二返送路とを設け、前記第一返送路に返送される返送水量と、前記第二返送路に返送される返送水量とを独立に制御可能な返送水分配部を設けた排水処理装置。
【請求項５】
前記返送水分配部は、前記酸発酵槽での有機排水滞留時間を調整する滞留時間調節機構と前記メタン発酵槽の有機物濃度を調整する有機物濃度維持機構とを備える請求項４に記載の排水処理装置。
【発明の詳細な説明】
【技術分野】
【０００１】
本発明は、有機排水を酸発酵槽において酸発酵させ、酸発酵排水を得る酸発酵工程と、前記酸発酵排水をメタン発酵させ、メタン発酵排水を得るメタン発酵工程と、を行う排水処理方法および有機排水を酸発酵させる酸発酵槽と、酸発酵槽からの酸発酵排水をメタン発酵させるメタン発酵槽と、を備えた排水処理装置に関する。
【背景技術】
【０００２】
メタン発酵は、排水処理の重要なユニットプロセスとして古くから知られているが、設備が嵩だかいという問題があり、比較的規模の大きな水処理設備としての導入が検討される場合が多い。このような水処理設備としては、酸発酵と、メタン発酵とを組み合わせた下水処理システムなどが知られている。
【０００３】
このような下水処理システムに用いられる排水処理装置では、酸発酵槽における微生物生育条件とメタン発酵槽における微生物生育条件とは異なるために、酸発酵槽およびメタン発酵槽の環境をともに良好に維持することは困難であった。例えば、酸発酵槽で生成した酸発酵排水成分が、メタン発酵の阻害成分を含んでいたり、メタン発酵槽の負荷を維持するには酸発酵槽における処理効率が低下したりするなど種々の問題が発生することが報告されており、このような場合、メタン発酵の阻害になる要因として酸発酵排水のｐＨや、有機物濃度が挙げられている（たとえば特許文献１，２）。そしてこれらの要因を解消するために、メタン発酵槽からのメタン発酵排水を酸発酵槽に返送する返送工程を行うことが考えられている。
【先行技術文献】
【特許文献】
【０００４】
【特許文献１】特公平３−０１１８３５号公報
【特許文献１】特開２００４−０９８００３号公報
【発明の概要】
【発明が解決しようとする課題】
【０００５】
しかし、酸発酵槽の環境をメタン発酵に適した酸発酵排水が得られるように調整したとしても、有機排水の水質や発生量が変動した際に、メタン発酵槽における環境に対してその酸発酵排水の水質が成分として適合しても、有機物濃度として不適合となり、やはりメタン発酵槽におけるメタン発酵が適正に進行しなくなる場合があるという問題があった。具体的にはメタン発酵槽におけるメタン発酵が良好に進行しない場合、メタン発酵後のメタン発酵排水に含まれる有機酸が高濃度になり排水基準に適合しなくなる問題が発生する。
【０００６】
したがって、本発明は上記実状に鑑み、酸発酵槽とメタン発酵とをともに適正に行える排水処理方法及び排水処理装置を提供することを目的とする。
【課題を解決するための手段】
【０００７】
上記目的のための本発明の排水処理方法の特徴構成は、
有機排水を酸発酵槽において酸発酵させ、酸発酵排水を得る酸発酵工程と、
前記酸発酵排水をメタン発酵槽においてメタン発酵させ、メタン発酵排水を得るメタン発酵工程と、
を行う排水処理方法であって、
メタン発酵排水を前記酸発酵槽に返送する第一返送工程と、
メタン発酵排水を前記メタン発酵槽に返送する第二返送工程と、
を行う点にある。
【０００８】
上記特徴構成によると、メタン発酵排水を酸発酵槽に返送する第一返送工程を行うことにより、有機排水を酸発酵させ、酸発酵排水を得る酸発酵工程を、酸発酵槽においてより適した環境で行える。例えば、酸発酵槽のｐＨは低く、メタン発酵排水のｐＨは高いために、酸発酵槽のｐＨが下がりすぎないように酸発酵槽内のｐＨを調整することができる。また、有機排水の流量に関わらず酸発酵槽における有機排水の滞留時間を一定に維持することによって、酸発酵が十分に行われる構成とするとともに、酸発酵排水の排出量を常時安定させられる。
また、メタン発酵排水をメタン発酵槽に返送する第二返送工程を行うことにより、前記酸発酵排水をメタン発酵させ、メタン発酵排水を得るメタン発酵工程を、メタン発酵槽において適した環境で行うことができる。たとえば、メタン発酵排水により有機物濃度を低下できるので、メタン発酵排水をメタン発酵槽に返送することで、酸発酵槽からの有機物濃度によらず、安定したメタン発酵を行うことができる。
【０００９】
したがって、酸発酵槽における酸発酵と、メタン発酵槽におけるメタン発酵の進行を、個別に最適化できるようになり、酸発酵及びメタン発酵がともに安定して行われる条件での排水処理が好適に行われる。
【００１０】
また、前記第一返送工程は、前記酸発酵槽に供給される前記有機排水量と前記酸発酵槽に返送される返送水量によって前記酸発酵槽が所定の滞留時間になるように返送水量を制御できる。
【００１１】
すなわち、上記構成によると、酸発酵槽における排水（有機排水および返送水）の量が酸発酵槽における滞留時間が一定に制御されることになる。これにより有機排水量（濃度）によらず安定した酸発酵が行えるようになる。
【００１２】
また、前記第二返送工程は、前記メタン発酵槽における槽内の有機物濃度を所定値以下に維持するように返送水量を制御できる。
【００１３】
すなわち、上記構成によるとメタン発酵槽における排水（酸発酵排水及び返送水）の有機物濃度が一定に制御されるから、その排水のメタン発酵槽における負荷が一定に制御されることになる。これにより、酸発酵排水の有機物濃度によらず、さらにいえば、有機排水の有機物濃度にもよらず、安定したメタン発酵が行えるようになる。
【００１４】
また、上述の第一返送工程と第二返送工程とは処理水量および有機物濃度という全く別のパラメータによる制御を行うものであるから、それぞれ独立に制御することができ、有機排水の性状、酸発酵環境の変動に影響されることなくメタン発酵槽内のメタン発酵環境を好適に維持することができる。
【００１５】
また、本発明の排水処理装置の特徴構成は、有機排水を酸発酵させる酸発酵槽と、酸発酵槽からの酸発酵排水をメタン発酵させるメタン発酵槽とを備えた排水処理装置であって、
前記メタン発酵槽からのメタン発酵排水を貯留する貯留槽を設け、前記貯留槽のメタン発酵排水を前記酸発酵槽に返送する第一返送路と、前記貯留槽のメタン発酵排水を前記メタン発酵槽に返送する第二返送路とを設け、前記第一返送路に返送される返送水量と、前記第二返送路に返送される返送水量とを独立に制御可能な返送水分配部を設けた点にある。
【００１６】
すなわち、メタン発酵排水を貯留する貯留槽を設けるから、メタン発酵排水を上流側に返送する際に、安定して返送水用のメタン発酵排水を提供することができる。このメタン発酵排水を返送水として利用する際、第一返送路により、酸発酵槽にメタン発酵排水を返送することができ、第二返送路によりメタン発酵槽にメタン発酵排水を返送することができる。これらの返送水量は、返送水分配部によりそれぞれ独立に制御可能としてあるから、酸発酵槽及びメタン発酵槽の環境をそれぞれ調整することができ、最終的な有機排水処理効率を最適化することができる。したがって、安定して高い処理効率を発揮できる排水処理装置を提供できた。
【００１７】
また、前記返送水分配部は、酸発酵槽での有機排水滞留時間を調整する滞留時間調節機構とメタン発酵槽の有機物濃度を調整する有機物濃度維持機構とを備えてもよい。
【００１８】
すなわち、酸発酵槽における排水処理の効率に影響する特に重要なパラメータとして排水の滞留時間が挙げられる。酸発酵槽に供給される有機排水の量が変動すると、酸発酵槽内の有機物に対して酸発酵が行われる時間が変動することになる。すると、有機排水中の有機物のうち、酸発酵で消費されるべき有機物が完全に酸に変換されるとは限らない。さらに言えば、後続のメタン発酵槽における排水処理にて有機物濃度が変動したり発酵阻害要因となるような成分が残留したりする虞が生じる。これに対して滞留時間調整機構を設けてあれば、有機排水量に関わらず酸発酵槽における排水の滞留時間を十分確保して酸発酵が十分行われる（酸が生成する）ようにするとともに、酸発酵槽内のｐＨが低下しすぎない環境を容易に維持することができる。このような滞留時間調節機構としては、たとえば、前記有機排水量と前記酸発酵槽に返送される返送水量との和が所定量になるように返送水量を制御できるが、これに限るものではない。
【００１９】
また、メタン発酵槽における排水処理効率に影響する特に重要なパラメータとして有機物濃度（負荷）が挙げられる。メタン発酵槽に供給される酸発酵排水に含まれる有機物濃度が変動すると、メタン発酵槽内の有機物に対してメタン発酵が行われる微生物量が十分確保できなくなり、有効なメタン発酵が進行しにくくなる。これに対して有機物濃度維持機構を設けてあれば、酸発酵排水の有機物濃度によらず排水の有機物濃度を一定に維持することができるため、安定したメタン発酵が行えるものである。このような有機物濃度維持機構としては、たとえば、前記有機物濃度を所定値以下に維持するように返送水量を制御するものを採用することができるが、これに限るものではない。
【発明の効果】
【００２０】
したがって、酸発酵槽とメタン発酵とをともに適正に行えるようになり、これらを連携させた高度な排水処理を行えるようになった。
【図面の簡単な説明】
【００２１】
【図１】排水処理装置のフロー図
【発明を実施するための形態】
【００２２】
以下に、本発明の実施形態にかかる排水処理装置を説明する。尚、以下に好適な実施形態を記すが、これら実施形態はそれぞれ、本発明をより具体的に例示するために記載されたものであって、本発明の趣旨を逸脱しない範囲において種々変更が可能であり、本発明は、以下の記載に限定されるものではない。
【００２３】
〔排水処理装置〕
本発明の実施形態にかかる排水処理装置は、図１に示すように、有機排水を酸発酵させる酸発酵槽１と、酸発酵槽１からの酸発酵排水をメタン発酵させるメタン発酵槽２と、メタン発酵槽２からのメタン発酵排水を貯留する貯留槽３とを備える。また、貯留槽３のメタン発酵排水を酸発酵槽１に返送する第一返送路Ｒ１と、貯留槽３のメタン発酵排水をメタン発酵槽２に返送する第二返送路Ｒ２とを設ける。これにより、第一返送路Ｒ１に返送される返送水量と、第二返送路Ｒ２に返送される返送水量とを独立に制御可能な返送水分配部Ｗを設けて構成してある。
【００２４】
〔酸発酵槽〕
酸発酵槽１は、有機排水を上部より受け入れて、有機排水を酸発酵槽１において酸発酵させ、酸発酵排水を得る酸発酵工程を行う酸処理容器１０に、有機排水を導入する有機排水導入部１１と、酸処理容器１０内で所定時間滞留した酸発酵排水がオーバーフローする形態で排出される酸発酵排水排出部１２と、貯留槽３からの返送水を導入する第一返送水導入部１３とを備える。
また、有機排水導入部１１には、有機排水流量計１４を備え、酸処理容器１０に導入される有機排水の流量を検知して、有機排水導入部１１に導入される有機排水量と第一返送水導入部１３に返送される返送水量との和が所定量になるように返送水量を制御する第一返送工程が行われる。
返送水量の制御は、返送水分配部Ｗにより行われ、返送水分配部Ｗは、有機排水流量計１４からの出力に応じて、第一返送水導入部１３に接続された第一返送路Ｒ１に設けられる第一流量調整弁Ｖ１を制御する滞留時間調節機構Ｗ１を有する。これにより、酸発酵槽１に導入される排水量が一定に保持され、返送水流量計１５に基づいて酸発酵槽１に導入される有機排水量を調整することにより、酸発酵槽１内での有機排水の滞留時間が一定に維持されるように制御する。具体的には有機排水量が増加するにしたがって返送水量を減少させることにより酸発酵槽１に導入される排水量が一定に保持される。
【００２５】
〔メタン発酵槽〕
メタン発酵槽２は、酸発酵排水を下部より受け入れて、酸発酵排水をメタン発酵させメタン発酵排水を得るメタン発酵工程を行うメタン発酵容器２０に、酸発酵排水を下部から導入する酸発酵排水導入部２１と、メタン発酵容器２０内でメタン発酵されたメタン発酵排水がオーバーフローする形態で排出されるメタン発酵排水排出部２２とを備える。また、メタン発酵容器２０には、メタン発酵容器２０内を撹拌して内部に貯留される排水を均一に維持するための撹拌装置２３を備える。また、メタン発酵槽２内で生成したメタンを取り出すメタンガス路２４を接続してある。
また、メタン発酵容器２０内部に貯留される排水の有機物濃度をモニタする有機物濃度計２５を備え、有機物濃度を所定値以下に維持するように返送水量を制御する第二返送工程が行われる。
酸発酵排水排出部１２と酸発酵排水導入部２１とを接続する移送路Ｌ１には、貯留槽３のメタン発酵排水を返送水としてメタン発酵槽２に返送する第二返送路Ｒ２が接続される第二返送水導入部２６が設けられている。第二返送水導入部２６に返送される返送水量の制御は、返送水分配部Ｗにより行われ、返送水分配部Ｗは、有機物濃度計２５からの出力に応じて、第二返送路Ｒ２に設けられる第二流量調整弁Ｖ２を制御する有機物濃度維持機構Ｗ２を有する。これにより、メタン発酵槽２に導入される酸発酵排水の有機物濃度は一定に保持され、メタン発酵槽２内での負荷が一定に維持されるように制御する。具体的には、酸発酵排水の有機物濃度が増加するにしたがって返送水量を増加させることによってメタン発酵槽２内の有機物濃度が一定になるように制御される。これは、有機排水量が増加するのに従って返送水量を増加させることにあたるので、第一返送工程における制御とは逆の対応となっている。
【００２６】
〔貯留槽〕
貯留槽３は、メタン発酵排水を貯留する貯留容器３０にメタン発酵排水を上部から受け入れるメタン発酵排水導入部３１と、余剰のメタン発酵排水をオーバーフローで処理済排水として外部に放流する処理済み排水排出部３２とを備える。また、貯留されるメタン発酵排水を返送水として取り出す返送水抽出部３３が設けられ、返送水抽出部３３に設けられる返送ポンプＰにより、貯留槽３内のメタン発酵排水を返送水として汲み上げられるように構成してある。
【００２７】
〔返送路〕
貯留槽３に立設される返送水抽出部３３は返送ポンプＰを介して返送水を上流側に返送する返送路Ｒに接続されている。返送路Ｒは、メタン発酵排水を返送水として酸発酵槽１に返送する第一返送路Ｒ１と、メタン発酵排水を返送水としてメタン発酵槽２に返送する第二返送路Ｒ２とを有し、返送路Ｒには、返送水量を調節する返送水調整弁Ｖを設けてある。また、前述のように、返送水を酸発酵槽１に返送する第一返送路Ｒ１が設けられ、返送水をメタン発酵槽２に返送する第二返送路Ｒ２が設けられており、返送水調整弁Ｖと、第一、第二返送路Ｒ１，Ｒ２に設けられる第一、第二流量調整弁Ｖ１，Ｖ２とを調整する返送水分配部Ｗを設けてある。返送水分配部Ｗは、有機排水の流量及びメタン発酵槽２の有機物濃度に基づいて返送水の流量を独立に制御する。
【００２８】
〔実施例〕
上記排水処理装置において硫酸酸性の１３０００ｍｇ／Ｌの有機排水を処理する場合の排水の処理状況を表１に示す。表1においては、上記有機排水の流量が８．１L／d〜１４．５Ｌ／ｄに変動した場合の酸発酵排水の酸濃度及び有機物濃度、メタン発酵槽の有機物濃度をそれぞれ求め、第一、第二返送路返送水量を調整することにより、メタン発酵槽の有機物濃度を有機物負荷容量（この例では５０００ｍｇ／Ｌ）に維持する制御を行った例を示している。
まず、酸発酵槽１に導入される有機排水量と、返送水流量計１５により求められる第一返送路Ｒ１の返送水を第一返送水導入部１３に導入することにより、有機排水量に応じて酸発酵槽１に流入する排水量（有機排水量＋第一返送路返送水量）を２８Ｌ／ｄに調整する（第一返送工程）。すると、酸発酵槽１では有機排水に対して３〜４時間の滞留時間を確保でき、有機排水量に応じた比率で有機酸（酢酸及びプロピオン酸）を生成することが分かった。なお、この滞留時間が不足すると、酸発酵が十分に進まず、酸発酵排水中の有機酸量が十分に増加しないものである。
次に、第二返送路Ｒ２により、返送水を供給してメタン発酵槽２内の有機物濃度を５０００ｍｇ／Ｌ以下になるように調整する（第二返送工程）。すると、メタン発酵槽２に供給される有機物濃度（調整された有機物濃度）は、メタン発酵槽２で処理可能な負荷に維持され、返送水による流量の増加はあるものの、有機排水を十分に処理できることが明らかになった。なお、この際、メタン発酵排水中の有機酸量は、酢酸１２０ｍｇ／Ｌ、プロピオン酸１４０ｍｇ／Ｌとなっており、排水基準であるプロピオン酸３００ｍｇ／Ｌ以下、総有機酸量６００ｍｇ／Ｌ以下の基準を十分満たすものとなっていた。
【００２９】
【表１】
2018167177.tif 000003
【００３０】
〔比較例〕
尚、上記実施例により得られた酸発酵排水をそのままメタン発酵槽２に導入してメタン発酵を行った場合、つまり第一返送工程のみを行い第二返送工程を行わなかった場合、メタン発酵槽２内における想定有機物濃度は、有機酸濃度とは異なる比率で増加するため、想定有機物濃度がメタン発酵槽２の有機物負荷容量を上回る状況となる。このときのメタン発酵排水中の有機酸量は、酢酸３００ｍｇ／Ｌ、プロピオン酸４６０ｍｇ／Ｌで、排水基準を満たさないものであるとともに、有機酸のメタン発酵が十分に進んでいないことが分かった。
【産業上の利用可能性】
【００３１】
本発明によると、酸発酵とメタン発酵とをともに適正に行えるので、安定した排水処理が行える排水処理装置として利用することができる。
【符号の説明】
【００３２】
１                ：酸発酵槽
２                ：メタン発酵槽
３                ：貯留槽
１４              ：有機排水流量計
２５              ：有機物濃度計
Ｒ１              ：第一返送路
Ｒ２              ：第二返送路
Ｗ                ：返送水分配部
【図１】
2018167177.tif 000004